(57)【要約】【課題】投射距離が短い筐体などに収納するタイプのプロジェクタにおいて、冷却効率がよく、冷却による性能の劣化がないようにし、ユーザにとって使い勝手をよくする。【解決手段】プロジェクタをテーブルの内部に収納するようにし、冷却のための空気を床下に流出させる。冷却システムの冷却系統として、プロジェクタの内部を冷却する空気を循環させる第１次冷却系と、外部から空気を取り込み、外部に空気を排出する第２次冷却系を設け、それらのダクトを、熱交換器により接続し、第１次冷却系のダクトに冷風を流出させ、第２次冷却系のダクトに温風を流出させる。第２次冷却系のダクトは、床の下に配置する。熱交換器は、床の下に配置し、床の接続孔により、テーブル内部の第１次冷却系のダクトと床の下の第１次冷却系のダクトを接続する。【選択図】        図５
2008310134.tif 000002
【特許請求の範囲】
【請求項１】
光源からの光を映像表示素子で光学像に変調し、投射レンズから前記光学像を投射するプロジェクタにおいて、
前記プロジェクタを床の上のテーブルの内部に収納し、
前記プロジェクタの筐体に吸気口および排気口を設け、
前記テーブルの上面から空気を流入させ、前記プロジェクタの筐体の吸気口から空気を吸気させて、前記プロジェクタの内部を冷却させて、前記プロジェクタの筐体の排気口から排気させ、前記テーブルの下面の床から空気を流出させる冷却システムを有することを特徴とするプロジェクタ。
【請求項２】
光源からの光を映像表示素子で光学像に変調し、投射レンズから前記光学像を投射するプロジェクタにおいて、
前記プロジェクタを床の上のテーブルの内部に収納し、
前記プロジェクタの筐体に吸気口および排気口を設け、
前記床に下の空気の流路を設け、前記床の下の空気の流路の一方から空気を流入させ、前記プロジェクタの筐体の吸気口から空気を吸気させて、前記プロジェクタの内部を冷却させて、前記プロジェクタの筐体の排気口から排気させ、前記床の下の空気の流路の他の一方から空気を流出させる冷却システムを有することを特徴とするプロジェクタ。
【請求項３】
光源からの光を映像表示素子で光学像に変調し、投射レンズから前記光学像を投射するプロジェクタにおいて、
前記プロジェクタを床の上のテーブルに収納し、
前記プロジェクタの吸気口と排気口に接続され、前記プロジェクタの内部を冷却する空気を循環させるダクトを有する第１次冷却系と、
外部から空気を取り込み、外部に空気を排出するダクトを有する第２次冷却系と、
前記第１次冷却系のダクトと前記第２次冷却系のダクトと接続され、熱交換をおこない、前記第１次冷却系のダクトに冷風を流出させ、前記第２次冷却系のダクトに温風を流出させる熱交換器とを備え、
前記第２次冷却系のダクトは、前記床の下に配される冷却システムを有することを特徴とするプロジェクタ。
【請求項４】
前記冷却システムにおいて、
前記熱交換器は、前記床の下に配され、
前記第１次冷却系のダクトは、一部床の下を通って、前記テーブル内の前記第１次冷却系のダクトと、前記床の下の前記第１次冷却系のダクトとが、二箇所の床の接続孔を通って接続されることを特徴とする請求項３記載のプロジェクタ。
【請求項５】
前記冷却システムにおいて、
前記熱交換器は、前記床の孔にはめ込まれて、
前記第１次冷却系のダクトは、全て前記テーブルの内部に、前記第２次冷却系のダクトは、全て前記床の下に配されることを特徴とする請求項３記載のプロジェクタ。
【請求項６】
前記冷却システムにおいて、
前記熱交換器は、前記テーブルの中に配され、
前記第２次冷却系のダクトは、一部テーブルの中を通って、前記テーブル内の前記第２次冷却系のダクトと、前記床の下の前記第２次冷却系のダクトとが、二箇所の床の接続孔を通して接続されることを特徴とする請求項３記載のプロジェクタ。
【請求項７】
光源からの光を映像表示素子で光学像に変調し、投射レンズから前記光学像を投射するプロジェクタにおいて、
前記プロジェクタを壁の内部に収納し、
前記プロジェクタの筐体に吸気口および排気口を設け、
前記プロジェクタを使用するときには、前記壁から引き出して、前記プロジェクタに、前記壁の一方の面に前記光学像を投射させ、
前記引き出したプロジェクタの下面から空気を流入させ、前記プロジェクタの筐体の吸気口から空気を吸気させて、前記プロジェクタの内部を冷却させて、前記プロジェクタの筐体の排気口から排気させ、前記プロジェクタの側面から空気を流出させ、
前記流出させた空気を前記壁の内部に設けたダクトにより天井方向に排出させる冷却システムを有することを特徴とするプロジェクタ。
【請求項８】
光源からの光を映像表示素子で光学像に変調し、投射レンズから前記光学像を投射するプロジェクタにおいて、
前記プロジェクタをプロジェクタ収納筐体に収納し、
前記プロジェクタ収納筐体を壁の内部に収納し、
前記プロジェクタを使用するときには、前記プロジェクタ収納筐体と前記プロジェクタとを引き出して、前記プロジェクタに、前記壁の一方の面に前記光学像を投射させ、
前記プロジェクタ収納筐体と前記プロジェクタとを引き出したときに、前記プロジェクタの吸気口と排気口に接続され、前記プロジェクタの内部を冷却する空気を循環させるダクトを有する第１次冷却系と、
外部から空気を取り込み、外部に空気を排出するダクトを有する第２次冷却系と、
前記第１次冷却系のダクトと前記第２次冷却系のダクトと接続され、熱交換をおこない、前記第１次冷却系のダクトに冷風を流出させ、前記第２次冷却系のダクトに温風を流出させる熱交換器とを備え、
前記第２次冷却系のダクトは、前記壁の内部に埋め込まれ、前記熱交換器から流出する空気を天井方向に排出させる冷却システムを有することを特徴とするプロジェクタ。
【発明の詳細な説明】
【技術分野】
【０００１】
本発明は、プロジェクタに係り、特に、投射距離が短く、テーブルや壁にプロジェクタ本体を埋め込んで使用するタイプのプロジェクタを効率よく冷却できる冷却システムを有し、かつ、ユーザにとっても快適に使用することのできるプロジェクタに関する。
【背景技術】
【０００２】
従来のフロント投射型プロジェクタに比べて、フロント投射型プロジェクタでありながら、非球面ミラーを光学系に使用することにより投射距離を短縮したプロジェクタが開発されている。
【０００３】
そして、特許文献１や特許文献２に見られるように、投射距離が短くできるというメリットを生かして、プロジェクタ本体を筐体やテーブルに収納する表示システムが提案されている。
【０００４】
【特許文献１】特開２００４−２５２２８２号公報
【特許文献２】特開２００４−１１３６５５号公報
【発明の開示】
【発明が解決しようとする課題】
【０００５】
プロジェクタは、高温になる光源を使用するために、そのままの状態では、装置全体が非常な高温になる。そのため、正常に動作させるために適切な温度になるように冷却する必要がある。
【０００６】
以下、図１６を用いて、従来例に係るプロジェクタの冷却方法について説明する。
【０００７】
図１６は、従来例に係るプロジェクタの冷却を説明する図である。
【０００８】
この図１６では、プロジェクタの関連する光学要素のみを抜粋し模式的に示している。このプロジェクタの例では、装置の下部の吸入口に取り付けられたファンにより、内部に吸入され、有機部品を有する液晶パネルや偏光板・位相板などを冷却して、特に、最後に熱源となる光源の部分を冷却し、装置の後方の排出口より空気を排出している。
【０００９】
ところで、特許文献１の図１２に取り上げられているような投射距離が長いプロジェクタでは、空気の流路などが十分確保できるため、図１６の冷却方法でもそれほど問題点が生じなかった。
【００１０】
しかしながら、特許文献１や特許文献２に示されているような筐体、テーブル、天井に収納するようなタイプのプロジェクタでは、どのような方法で冷却するかが問題となる。これらの特許文献１や特許文献２には、プロジェクタの冷却という点が考慮されていない。これらのように筐体に収納するタイプのプロジェクタでは、使用時において、熱がこもらないように十分な冷却性能を確保する必要がある。
【００１１】
また、投射距離が短いプロジェクタは、ユーザ（特に、プロジェクタの操作者）がプロジェクタの周辺に位置する場合には、冷却のための風がユーザにとって不快になる原因となる。さらに、外部から空気を吸入させて冷却するには、外気のごみやほこりが装置の内部に取り込まれるため、特に、光学系の性能が劣化するという問題もある。
【００１２】
本発明は、上記問題点を解決するためになされたもので、その目的は、投射距離が短い筐体などに収納するタイプのプロジェクタにおいて、冷却効率がよく、冷却による性能の劣化がない冷却システムを有するプロジェクタを提供することにある。また、他の目的は、ユーザにとっても使い勝手のよいプロジェクタを提供することにある。
【課題を解決するための手段】
【００１３】
本発明の冷却システムを有するプロジェクタの一形態としては、プロジェクタをテーブルの内部に収納するようにし、冷却のための空気を床下に流出させる。
【００１４】
冷却システムとして、プロジェクタの内部を冷却する空気を循環させるダクトを有する第１次冷却系と、外部から空気を取り込み、外部に空気を排出するダクトを有する第２次冷却系と、第１次冷却系のダクトと第２次冷却系のダクトと接続され、熱交換をおこない、第１次冷却系のダクトに冷風を流出させ、第２次冷却系のダクトに温風を流出させる熱交換器とを設ける。
【００１５】
そして、冷却システムとして、第２次冷却系のダクトは、床の下に配置する。熱交換器は、床の下に配置し、床の接続孔により、テーブル内部の第１次冷却系のダクトと床の下の第１次冷却系のダクトを接続するようにしてもよいし、熱交換器を、テーブルの内部に配置し、床の接続孔により、床の下の第２次冷却系のダクトと、テーブル内部の第２次冷却系のダクトを接続するようにしてもよい。
【００１６】
また、冷却システムを有するプロジェクタの一形態としては、プロジェクタを壁の内部に収納するようにし、冷却のための空気を天井に流出させる。
【００１７】
この形態においても、冷却システムとして、プロジェクタの内部を冷却する空気を循環させるダクトを有する第１次冷却系と、外部から空気を取り込み、外部に空気を排出するダクトを有する第２次冷却系と、第１次冷却系のダクトと第２次冷却系のダクトと接続され、熱交換をおこない、第１次冷却系のダクトに冷風を流出させ、第２次冷却系のダクトに温風を流出させる熱交換器とを設けるようにする。
【００１８】
そして、プロジェクタとプロジェクタ収納容器を引き出して使うときに、冷却システムとして、プロジェクタの吸気口と排気口が第１次冷却系のダクトにより接続されるようにし、第２次冷却系のダクトは、壁の内部に埋め込まれ、熱交換器から流出する空気を天井方向に排出されるようにする。
【発明の効果】
【００１９】
本発明によれば、上記問題点を解決するためになされたもので、その目的は、投射距離が短い筐体などに収納するタイプのプロジェクタにおいて、冷却効率がよく、冷却による性能の劣化がない冷却システムを有するプロジェクタを提供することができる。また、本発明によれば、ユーザにとっても使い勝手のよいプロジェクタを提供することができる。
【発明を実施するための最良の形態】
【００２０】
以下、本発明に係る各実施形態を、図１ないし図１５を用いて説明する。
【００２１】
〔実施形態１〕
以下、本発明に係る第一の実施形態を、図１ないし図１１を用いて説明する。
先ず、図１および図２を用いて冷却システムを有するプロジェクタの吸気と排気について説明する。
図１および図２は、本発明の第一の実施形態に係る冷却システムを有するプロジェクタの吸気と排気を説明する図である。
【００２２】
本実施形態でのブロジェクタ０は、図１に示されるように、テーブル２００に収納されている。そして、プロジェクタ０からの映像は、前面の反射ミラー３５により反射されてスクリーン３００に写しだされる。反射ミラー３５は、プロジェクタ０の使用時に開いて映像を反射する適切な位置に維持する。
【００２３】
図１に示される例では、テーブル２００上面から空気の流れＷ１を入れ、プロジェクタ０の中を通って、テーブル２００を設置している床５００に抜けて、空気の流れＷ２を排出する。
【００２４】
このようにすると、温度が高い空気の流れＷ２は、室内には排出されないため、室温の上昇が防止され、排気による音もテーブル２００、床下に閉じ込められのでユーザにとっての騒音も軽減される。
【００２５】
また、図２に示される例では、床下の専用流路を通って、床５００、テーブル２００下面から空気の流れＷ３を入れ、プロジェクタ０の中を通って、再び、テーブル２００下面を設置している床５００に抜けて、空気の流れＷ４を排出する。床下の専用流路は、例えば、床暖房の温風流路を用いることができる。この例では、空気の流れが、室内と完全に分離されるため、よりいっそう騒音を防止することができる。
【００２６】
次に、図３および図４を用いてプロジェクタの構造について説明する。
【００２７】
図３は、本発明の第一の実施形態に係るプロジェクタの上面断面図である。
【００２８】
図４は、本発明の第一の実施形態に係るプロジェクタの側面断面図である。
【００２９】
プロジェクタの動作の概要は、以下のようになる。
【００３０】
図３に示されるように、ランプ１から出射された光は、マルチレンズ２、マルチレンズ３、ＰＢＳ４、フォーカスレンズ５を通り、さらに、ダイクロミラーおよびその他のミラー類６で３色（赤色、緑色、青色）に分離される。分離された光は、コリメータレンズ７を通って映像表示素子１０の照射された後、プリズム２０により、再び合成される。合成された光は、投射レンズ３０を通って反射ミラー３５で反射され、スクリーンに拡大投写され、映像を表示される。
【００３１】
また、プロジェクタ筐体１００には、端部にのダクトが左右から接続されており、吸気口１１０から冷却用の空気を流入し、排気口１２０からそれを排出する。
【００３２】
この空気は、後に説明するように床下に埋め込まれている冷却部である熱交換器４００により、冷却された空気である。
【００３３】
冷却流路としては、吸入口１１０より吸入され、ファン４１を介し、プリズム２０とその周辺のミラー６、映像表示素子１０、電源５０を通って、ファン４２によって排気口１２０より排出されるＡ系統の流路と、吸入口１１０より吸入され、ファン４４を介し、マルチレンズ２、マルチレンズ３や、ランプ１を冷却し、ファン４３によって排気口１２０より排出されるＢ系統の流路が確保されている。
【００３４】
また、図４は、図３とは別の例であり、上面の吸入口１１０ａ、１１０ｂから空気をプロジェクタ筐体１００に吸入し、排出口１２０ａ、１２０ｂより排出する例を示している。この図の例では、吸入口と排出口は、二つずつ設けられているが、筐体のスケール、プロジェクタの温度特性に応じて、より多くの吸入口と排出口を設けるようにしてもよい。
【００３５】
上の冷却システムを有するプロジェクタの例では、吸気と排気の方向のみを示した。以下では、より詳細な例として、冷却システムを有するプロジェクタの冷却構造で、複数の冷却系統を持つ例について説明する。
（I）冷却構造：熱交換器が使用時に床下、床にダクトのための接続孔を複数設置
この冷却構造は、熱交換器が使用時に床下にあり、床にダクトのための接続孔を複数設置する例である。
図５は、本発明の第一の実施形態に係る冷却システムを有するプロジェクタの冷却構造を説明する図である（その一）。
図６は、冷却構造の要部の詳細図である。
図７は、テーブルを設置する際の本発明の第一の実施形態に係る冷却システムを有するプロジェクタの断面図である（その一）。
【００３６】
図５に示される例は、図２の床下に専用流路を設けたときの冷却構造の例である。この例では、空気を循環する冷却系統として、第１次冷却系と第２次冷却系の複数の系統を有するようにしている。単一の冷却系統の例も後に説明する。第１次冷却系は循環系であり、第１次冷却系のダクトIは、床下に設置されている熱交換器４００を通って、冷却された空気を床５０、テーブル２００の下面からプロジェクタ０に入れて、排出し、再び、テーブル２００の下面、床５０を抜けて、熱交換器４００に戻るようになっている。
【００３７】
また、第２次冷却系は、外部の空気とのやりとりをする開放系であり、ダクトIIにより熱交換器４００へ空気を流入させて、熱交換して暖められた空気を流出させる。
【００３８】
第１次冷却系は、小型にし、第２次冷却系を大型のものにすることにより、プロジェクタ０とテーブル２００の容積を小さくすることができる。また、プロジェクタ内部を通る第１次冷却系の空気は、循環系で密封されているために、プロジェクタ０内部に、ごみやほこりなどが付着するおそれが軽減される。ただし、後にも説明するように、テーブル２００を移動することができるようにして、プロジェクタシステム自体を取り外し可能としたときには、流路の接続時には、ごみやほこりなどが混入しないように注意する必要がある。
【００３９】
次に、冷却構造の要部として、熱交換器４００とその周辺部の構造を説明する。
【００４０】
熱交換器４００は、図６に示されるように、循環ポンプ４１０と、冷媒４２０、ファン４３０、冷媒用パイプ４４０、ユニット用電源４７０とで形成される。冷媒用パイプ４４０内には、循環する冷媒４２０が充填されており、冷媒４２０としては、例えば、エチレングリコール等がある。冷媒用パイプ４４０にはフィン（図示しない）が何枚も形成されており、放熱効率を向上させている。
【００４１】
また、フィンを備える冷媒用パイプ４４０は、ダクトＩの一部とダクトIIの双方にまたがるようにして、ダクトＩの空気とダクトIIの空気の双方の流れを通すことができるようにしている。
【００４２】
次に、熱交換器４００の動作について説明する。
【００４３】
熱交換器４００の循環用の冷媒用パイプ４４０には入口と出口（図示しない）があり、それぞれに循環ポンプ４１０が接続されており、循環ポンプ４１０が動作することにより、冷媒用パイプ４４０内の流路を冷媒４２０が循環するように形成されている。そして、プロジェクタ０の本体から排気される高温の空気は、ダクトI内を通り、冷媒４２０の入った冷媒用パイプ４４０を通過することで冷却される。
【００４４】
プロジェクタの本体から排気された高温の空気から熱を受け取った冷媒４２０は、循環ポンプ４１０によってパイプ内を移動し、ダクトIIの方向に送られる。
【００４５】
冷媒４２０は、ダクトIIに流れる空気によって冷却され、再び冷媒用パイプ４４０に戻って、ダクトI方向へと循環する。これら循環ポンプ４１０およびファン４３０は、ユニット用電源４７０によって、プロジェクタ０の電源とは異なる電源を供給される。
【００４６】
この冷却構造のときに、テーブル２００は、使用しないときには、別の場所に移動させることが可能である。そのときには、ダクトIは、ダクトカバー５５ａ、５５ｂにより覆われており、床５０の使用上問題のないようにしている。
【００４７】
プロジェクタシステムを使用するときには、テーブル２００を移動させて、図７（ａ）に示される状態から、図７（ｂ）に示される状態にして、ダクトカバー５５ａ、５５ｂをずらせて、テーブル２００のダクトと床下のダクトＩを接続する。
（II）冷却構造：熱交換器が使用時に床の高さ、床にダクトのための接続孔を一つのみ設置
この冷却構造は、熱交換器が使用時に床の高さにあり、床にダクトのための接続孔を一つのみ設置する例である。
図８は、本発明の第一の実施形態に係る冷却システムを有するプロジェクタの冷却構造を説明する図である（その二）。
図９は、テーブルを設置する際の本発明の第一の実施形態に係る冷却システムを有するプロジェクタの断面図である（その二）。
【００４８】
この例は、（I）の例において、接続孔を一つのみあけた場合である。この場合には、第１次冷却系のダクトIと第２次冷却系のダクトIIは、床の上下に各々位置するため、熱交換器４００は、床の孔にはめ込まれて、熱交換器４００の中央部は、床５０を区切るような場所に位置している。ただし、熱交換器４００とダクトIを液体を内包するホールやチューブ状のもので接続する構成にすれば、テーブル設定の自由度が増し、使い勝手が向上することが期待される。
【００４９】
また、熱交換器４００の周辺部の構成は、（I）の例と同様である。
【００５０】
この冷却構造で、テーブル２００を設置していないときには、ダクトIの床下の部分は、ダクトカバー５５ｃにより覆われており、床５０の使用上問題のないようにしている。
【００５１】
プロジェクタシステムを使用するときには、テーブル２００を移動させて、図９（ａ）に示される状態から、図９（ｂ）に示される状態にする。そのときには、ダクトカバー５５ｃをずらせて、接続孔を開放し、テーブル側にある熱交換器４００を下方に移動させて、その接続孔の中に位置するようにして、ダクトIIの中を流れる空気が、熱交換器４００に流れるようにする。
（III）冷却構造：熱交換器が使用時にテーブル中、床にダクトのための接続孔を一つのみ設置
この冷却構造は、熱交換器が使用時にテーブル中にあり、床にダクトのための接続孔を複数設置する例である。
【００５２】
図１０は、本発明の第一の実施形態に係る冷却システムを有するプロジェクタの冷却構造を説明する図である（その四）。
【００５３】
図１１は、テーブルを設置する際の本発明の第一の実施形態に係る冷却システムを有するプロジェクタの断面図である（その四）。
【００５４】
この例では、熱交換器が使用しないときでも、使用時でもテーブル２００中にあり、接続孔は、ダクトIIのダクトの接続に用いられている。
【００５５】
そのため第１次冷却系のダクトIは、常に密封された状態を保持できるため、ダクトIに接続時にごみが流入することは問題にならないという利点がある。
【００５６】
なお、この冷却構造では、ダクトIIの空気は、テーブル２００中に持ち上げられるため、排気ファン５６をダクトIIの排気側に設けている。
【００５７】
この冷却構造の設置例は、（I）の場合と類似しているが、図１１に示されるように、ダクトIIが接続孔で接続されることのみ異なっている。
【００５８】
プロジェクタシステムを使用するときには、テーブル２００を移動させて、図１１（ａ）に示される状態から、図１１（ｂ）に示される状態にして、ダクトカバー５５ｄ、５５ｅをずらせて、テーブル２００のダクトと床下のダクトIIを接続する。
【００５９】
〔実施形態２〕
以下、本発明に係る第二の実施形態を、図１２ないし図１５を用いて説明する。
【００６０】
先ず、図１２を用いて冷却システムを有するプロジェクタの吸気・排気について説明する。
図１２は、本発明の第二の実施形態に係る冷却システムを有するプロジェクタの吸気と排気を説明する図である。
【００６１】
本実施形態のプロジェクタ０は、図１２（ａ）に示されるように、下段レール７０と上段レール７１の上に設置されており、使用するときには、図１２（ｂ）のように引き出して使うようになっている。下段レール７０は、固定されており、上段レール７１を、その上をずらせて移動させることができるようになっている。また、プロジェクタ０は、上段レール７１上をずらせて移動させることができる。どれくらい移動させるかは、投射させる像の大きさ、反射ミラー３５の角度などにより、ユーザが所望のように調整すればよい。
【００６２】
プロジェクタを引き出して使用中のときには、プロジェクタ０からの映像が壁面の一方に投射されるようになっている。
【００６３】
本実施形態の例では、壁６００の中にダクトを形成し、使用中には、プロジェクタ０の底辺から空気の流れＷ５を入れ、壁側に空気の流れＷ６を排出する。
【００６４】
この排出された空気は、壁６００の中のダクトを通って天井側に排出される。
【００６５】
第一の実施形態では、高温の空気を床下に排出したが、本実施形態では、プロジェクタ０の上方にあたる天井側に排出する。プロジェクタ０から排出される空気は、高温になっているため上方にあたる天井側に排出する方が効率的である。
【００６６】
上の冷却システムを有するプロジェクタの例では、吸気と排気の方向のみを示した。以下では、より詳細な例として、図１３を用いて冷却システムを有するプロジェクタの冷却構造で、複数の冷却系統を持つ例について説明する。
図１３は、本発明の第二の実施形態に係る冷却システムを有するプロジェクタの冷却構造を説明する図である。
【００６７】
この例では、第１次冷却系と第２次冷却系を有し、図１３（ｂ）に示すように、プロジェクタ０の使用時には、第１次冷却系は、循環系をなしており、第２次冷却系は、開放系であり、熱交換器４００から排出される空気は、天井側に排出される。なお、第１次冷却系のダクトIを、図の奥行き方向にループさせて、第２次冷却系のダクトIIと熱交換器４００を介して交差させるように配置してもよい。
【００６８】
プロジェクタ０は、プロジェクタカバー８０を下側に倒して、引き出されて、引き出されたときに、プロジェクタ０のダクトとプロジェクタ収納筐体８１の中のダクトとが接続され、第１次冷却系の循環するダクトIが形成される。
【００６９】
次に、図１４および図１５を用いてプロジェクタの構造について説明する。
図１４および図１５は、本発明の第二の実施形態に係るプロジェクタの側面断面図である。
【００７０】
図１４のプロジェクタの構造は、図１２に示した例に対応したものである。このプロジェクタ０は、下面の吸気口１１０ｃより吸気し、プロジェクタ０の内部を通って、側面の排気口１１０ｃより排気される。
【００７１】
また、図１５のプロジェクタの構造は、図１３に示した例に対応したものである。このプロジェクタ０は、上面の吸気口１１０ｄより吸気し、プロジェクタ０の内部を通って、下面の排気口１１０ｄより排気される。
【００７２】
いずれの場合においても、内部にファンを配して、プロジェクタ０の内部に適切な空気流を作り、冷却効率を上げることが望ましい。
【図面の簡単な説明】
【００７３】
【図１】本発明の第一の実施形態に係る冷却システムを有するプロジェクタの吸気と排気を説明する図である（その一）。
【図２】本発明の第一の実施形態に係る冷却システムを有するプロジェクタの吸気と排気を説明する図である（その二）。
【図３】本発明の第一の実施形態に係るプロジェクタの上面断面図である。
【図４】本発明の第一の実施形態に係るプロジェクタの側面断面図である。
【図５】本発明の第一の実施形態に係る冷却システムを有するプロジェクタの冷却構造を説明する図である（その一）。
【図６】冷却構造の要部の詳細図である。
【図７】テーブルを設置する際の本発明の第一の実施形態に係る冷却システムを有するプロジェクタの断面図である（その一）。
【図８】本発明の第一の実施形態に係る冷却システムを有するプロジェクタの冷却構造を説明する図である（その二）。
【図９】テーブルを設置する際の本発明の第一の実施形態に係る冷却システムを有するプロジェクタの断面図である（その二）。
【図１０】本発明の第一の実施形態に係る冷却システムを有するプロジェクタの冷却構造を説明する図である（その四）。
【図１１】テーブルを設置する際の本発明の第一の実施形態に係る冷却システムを有するプロジェクタの断面図である（その四）。
【図１２】本発明の第二の実施形態に係る冷却システムを有するプロジェクタの吸気と排気を説明する図である。
【図１３】本発明の第二の実施形態に係る冷却システムを有するプロジェクタの冷却構造を説明する図である。
【図１４】本発明の第二の実施形態に係るプロジェクタの側面断面図である（その一）。
【図１５】本発明の第二の実施形態に係るプロジェクタの側面断面図である（その二）。
【図１６】従来例に係るプロジェクタの冷却を説明する図である。
【符号の説明】
【００７４】
０…プロジェクタ、１…ランプ、２…マルチレンズ、３…マルチレンズ、４…ＰＢＳ、５…フォーカスレンズ、６…ミラー類、７…コリメータレンズ、１０…映像表示素子、２０…プリズム、３０…投射レンズ、３５…反射ミラー、４１、４２、４３、４４…ファン、５０…電源、６０…フィルター、１００…プロジェクタ筐体、１１０…吸気口、１２０…排気口、
４００…熱交換器、４１０…循環ポンプ、４２０…冷媒、４３０…ファン、４４０…冷媒用パイプ、４５０…吸気口、４６０…排気口、４７０…ユニット用電源、
２００…テーブル、３００…スクリーン、５００…床、６００…壁、
５５…ダクトカバー、５６…ファン、８０…プロジェクタカバー、８１…プロジェクタ収納筐体。
【図１】
2008310134.tif 000003
【図２】
2008310134.tif 000004
【図３】
2008310134.tif 000005
【図４】
2008310134.tif 000006
【図５】
2008310134.tif 000007
【図６】
2008310134.tif 000008
【図７】
2008310134.tif 000009
【図８】
2008310134.tif 000010
【図９】
2008310134.tif 000011
【図１０】
2008310134.tif 000012
【図１１】
2008310134.tif 000013
【図１２】
2008310134.tif 000014
【図１３】
2008310134.tif 000015
【図１４】
2008310134.tif 000016
【図１５】
2008310134.tif 000017
【図１６】
2008310134.tif 000018